(57)【特許請求の範囲】
【請求項１】
体腔内の像を内視鏡像として撮像するための撮像素子と、
シールド部材によって仕切られることで形成され、互いに遮蔽された第１のシールド空間および第２のシールド空間と、
前記第１のシールド空間に配置され、電気素子を実装した基板によって構成された電気回路ユニットと、
前記電気回路ユニットに一端を接続されるとともに、前記第１のシールド空間から前記第２のシールド空間に延出されたケーブルと、
前記第２のシールド空間に配置されるとともに、前記ケーブルおよび前記撮像素子から延出する撮像信号線に接続され、外部装置に接続可能な電気接点ユニットと、
を具備することを特徴とする電子内視鏡。
【請求項２】
各々には、電気的なシールドを行うシールド部を備えてなる前記撮像信号線および前記ケーブルを具備することを特徴とする請求項１記載の電子内視鏡。
【請求項３】
前記電気回路ユニットは、情報を記憶する情報記憶部であることを特徴とする請求項１に記載の電子内視鏡。
【請求項４】
情報を記憶する記憶部を備えるとともに、前記情報を前記外部装置と送受信するための通信処理および前記記憶部への読み書きのための演算処理を行う処理部を備えた電気回路ユニットであることを特徴とする請求項１記載の電子内視鏡。
【請求項５】
前記シールド部材は、外部装置に接続するためのコネクタ部に配設され、前記第１のシールド空間および前記第２のシールド空間を前記コネクタ部に形成してなることを特徴とする請求項１記載の電子内視鏡。
【請求項６】
前記ケーブルは、同軸ケーブルであることを特徴とする請求項２記載の電子内視鏡。
【発明の詳細な説明】
【０００１】
【発明の属する技術分野】
本発明は、撮像素子を内蔵した電子内視鏡に関する。
【０００２】
【従来の技術】
従来より、細長の挿入部を体腔内に挿入することによって体腔内の患部等を観察したり、必要に応じて処置具を内視鏡の鉗子チャンネル内に挿通して治療処置のできる内視鏡が広く用いられている。前記内視鏡としては、例えば、挿入部の先端側にＣＣＤ等の撮像素子を内蔵し、この撮像素子で光電変換した信号を信号ケーブルで伝送し、信号処理手段であるビデオプロセッサで変換した映像信号をモニタ装置に表示するようにした電子内視鏡が使用されている。
【０００３】
このような電子内視鏡は、例えば特公平８−２２２７２号公報に記載されているように、内視鏡本体の操作部側部から延出して、ビデオプロセッサに接続するユニバーサルケーブルの端部に設けたコネクタ内部に記憶内容が書き換え可能な情報記憶部としてＥＥＰＲＯＭ等を含む電気回路を設け、この電気回路からの記憶内容を前記ビデオプロセッサに送信し、例えば機種名、修理回数、患者名、ホワイトバランス調整データ等の内視鏡関連データを得ることができるように構成されたものが提案されている。
【０００４】
【発明が解決しようとする課題】
しかしながら、上記特公平８−２２２７２号公報に記載の電子内視鏡は、前記情報記憶部の電気回路から発生したノイズが内視鏡から放射されるという問題がある。また、このノイズが撮像素子の駆動や信号授受を行うための画像信号線に影響を与え、画像信号が劣化したり、撮像素子が誤作動する虞れが生じる。更に、画像信号線から発生するノイズにより、情報記憶部が誤作動したり、情報記憶部とビデオプロセッサとの間で授受される信号に劣化が起こる虞れが生じる。
【０００５】
本発明は、これらの事情に鑑みてなされたものであり、画像劣化及び電気回路ユニットの誤動作がなく、外部に対して放射ノイズが少ないＥＭＣ性能の良い電子内視鏡を提供することを目的としている。
【０００６】
【課題を解決するための手段】
前記目的を達成するため本発明による電子内視鏡は、体腔内の像を内視鏡像として撮像するための撮像素子と、シールド部材によって仕切られることで形成され、互いに遮蔽された第１のシールド空間および第２のシールド空間と、前記第１のシールド空間に配置され、電気素子を実装した基板によって構成された電気回路ユニットと、前記電気回路ユニットに一端を接続されるとともに、前記第１のシールド空間から前記第２のシールド空間に延出されたケーブルと、前記第２のシールド空間に配置されるとともに、前記ケーブルおよび前記撮像素子から延出する撮像信号線に接続され、外部装置に接続可能な電気接点ユニットと、を具備することを特徴とし、また、前記撮像信号線および前記ケーブルの各々は、電気的なシールドを行うシールド部を備えており、前記電気回路ユニットは、情報を記憶する情報記憶部であることを特徴とする。
また、前記電気回路ユニットは、情報を記憶する記憶部を備えるとともに、前記情報を前記外部装置と送受信するための通信処理および前記記憶部への読み書きのための演算処理を行う処理部を備えており、前記シールド部材は、外部装置に接続するためのコネクタ部に配設され、前記第１のシールド空間および前記第２のシールド空間を前記コネクタ部に形成しており、前記ケーブルは、同軸ケーブルであることを特徴とする。
この構成により、画像劣化および電気回路ユニットの誤動作がなく、外部に対して放射ノイズが少ないＥＭＣ性能の良い電子内視鏡を実現する。
【０００７】
【発明の実施の形態】
以下、図面を参照して本発明の１実施の形態を説明する。
図１ないし図１０は本発明の１実施の形態に係わり、図１は本発明の１実施の形態を備えた電子内視鏡装置の構成を示す構成図、図２は図１の電子内視鏡装置の電気系の構成を示す構成図、図３は図１の電気接点コネクタ部の構成を示す断面図、図４は図３の基板を矢印Ａから見たＡ矢視図、図５は図３の基板を矢印Ｂから見たＢ矢視図、図６は図３のシールド部材を示す説明図、図７は図３のＣ−Ｃ断面図、図８は図３のＤ−Ｄ断面図、図９は図７のプログラム書き込み用コネクタを示す断面図、図１０は図９の横断面図である。
【０００８】
まず、図１及び図２を参照して本実施の形態の電子内視鏡装置について説明する。
図１に示すように、本実施の形態の電子内視鏡装置１は、後述の電磁妨害対策手段を備えた電子内視鏡２と、この電子内視鏡２が接続されることにより照明光を供給する光源装置３と、電子内視鏡２にスコープケーブル４を介して接続され電子内視鏡２に内蔵された固体撮像素子（以下、ＳＩＤと略記）２２（図２参照）に対する信号処理を行うビデオプロセッサ５と、このビデオプロセッサ５と接続されたモニタケーブルを介して入力される映像信号を表示するモニタ６とから構成される。
【０００９】
前記電子内視鏡２は、体腔内等に挿入される細長の挿入部７と、この挿入部７の後端に形成された操作部８と、この操作部８から延出されたユニバーサルケーブル部９と、このユニバーサルケーブル部９の端部に設けられ、光源装置３に着脱自在で接続されるスコープコネクタ部１０とを有する。このスコープコネクタ部１０の側部には電気接点コネクタ部１１が設けられ、この電気接点コネクタ部１１に着脱自在の電気コネクタ４ｅを設けたスコープケーブル４の他端は電気コネクタ４ｆによりビデオプロセッサ５の電気接点コネクタ部４ｄに着脱自在で接続される。
【００１０】
前記挿入部７は、前記ＳＩＤ２２を内蔵した先端部１２と、この先端部１２の後端に形成された湾曲自在の湾曲部１３と、この湾曲部１３の後端から操作部８の前端に至る長尺の可撓管部１４とからなる。
前記操作部８には湾曲操作ノブ１５が設けられ、把持部１６を把持してこの湾曲操作ノブ１５を操作することにより湾曲部１３を湾曲することができる。また、操作部８の側面には送気・送水制御を行う送気・送水制御部１７と、吸引の制御を行う吸引制御部１８とが設けてある。
【００１１】
また、挿入部７内には図示しない送気・送水管路が挿通され、この送気・送水管路は操作部８で送気・送水制御部１７に接続され、さらにユニバーサルケーブル部９内を挿通された送気・送水管路を介してその端部はスコープコネクタ部１０に至り、光源装置３内の送気・送水機構と接続される。また、挿入部７内に挿通された図示しない吸引管路は、操作部８の前端付近で２つに分岐し一方は鉗子口２０に連通し、他方は吸引制御部１８を介してユニバーサルケーブル部９内の図示しない吸引管路と連通し、スコープコネクタ部１０の図示しない吸引口金に至る。また、吸引管路は先端部１２において開口し、鉗子口２０から鉗子を挿入した場合には鉗子が突出される。
【００１２】
挿入部７、操作部８、ユニバーサルケーブル部９内には、照明光を伝送する図示しないライトガイドが挿通され、このライトガイドの後端はスコープコネクタ部１０に至り、光源装置３内部のランプから供給される照明光を伝送し、先端部１２の照明窓（不図示）から前方に出射し、患部等の被写体を照明する。
照明された被写体は図２に示すように、前記照明窓に隣接して設けた観察窓（不図示）に取り付けた観察光学系２１によりその結像位置に配置されたＳＩＤ２２に結像し、このＳＩＤ２２により光電変換される。このＳＩＤ２２にはＳＩＤケーブル２３が接続され、このＳＩＤケーブル２３はスコープコネクタ部１０内に設けた電気接点コネクタ部１１を介してスコープケーブル４と接続され、このスコープケーブル４はビデオプロセッサ５と接続される。
前記スコープコネクタ部１０の内部には、情報記憶部ユニット２４が設けられている。
【００１３】
前記ビデオプロセッサ５には、ＳＩＤ２２に電圧を供給するためのＣＣＤ駆動電源２５及び前記情報記憶部ユニット２４と通信して内視鏡関連データの書込みや読み出しを制御するデータ制御部２６が設けられている。これらはスコープケーブル４を介して前記電気接点コネクタ部１１に電気的に接続され、前記ＳＩＤ２２と情報記憶部ユニット２４に電気的に接続されている。
【００１４】
前記情報記憶部ユニット２４は、ガラスエポキシ基板等に種々の電気素子が実装された実装基盤から構成されていて、この情報記憶部ユニット２４は前記ビデオプロセッサ５のＣＣＤ駆動電源２５から供給されたＣＣＤ駆動電圧を所望の電圧に変換するレギュレータ３１と、機種名、固体識別番号、修理回数、患者名、洗滌・消毒の有無、ホワイトバランス調整データ等の内視鏡関連データを記憶保持するＥＥＰＲＯＭ又はフラッシュＲＯＭなどの書き換え可能な不揮発性メモリ３２と、内視鏡関連データを前記ビデオプロセッサ５にシリアルインターフェイスで送受信する通信処理と内視鏡関連データを不揮発性メモリ３２に書き込みや読み出しなどを行う処理などの演算処理を行うワンチップマイコンで構成されたＣＰＵ３３と、このＣＰＵ３３を駆動するための発振器３４と、内視鏡関連データの通信を１本のデータ信号線３５で行うためのシリアルインターフェース手段を構成するセレクタ３６とから主に構成されている。尚、前記情報記憶部ユニット２４には、前記ＣＰＵ３３にプログラムを書き込むためのプログラム書込み用コネクタ３７が設けられている。尚、符号２３aは前記ＳＩＤ２２に電源を供給するＳＩＤケーブル２３内部のビデオ電源線であり、符号２３ｂは情報記憶部ユニット２４に電力を供給するための電源線である。
前記情報記憶部ユニット２４に接続された電源線２３ｂやデータ信号線３５は、後述する複心で外側にシールドを有する同軸シールド線７９にて構成されている。
【００１５】
次に、図３ないし図１０を用いて、前記電気接点コネクタ部１１を備えたスコープコネクタ部１０の構成を説明する。
図３に示すように前記スコープコネクタ部１０は、樹脂等の非導電材料からなるコネクタケース４０を備えていて、このコネクタケース４０内部にはアルミダイキャストにより形成され、その表面にクロメート等の導電性の表面処理がなされている有底円筒状のシャーシ部材４１が設けられている。尚、このシャーシ部材４１には、図示しないライトガイドファイバ、前記ＳＩＤケーブル２３等のケーブルを挿通する溝部４２が形成されている。
【００１６】
前記シャーシ部材４１のコネクタケース４０開口側には、前記シャーシ部材４１と嵌合するベース本体４３が設けられている。このベース本体４３は、アルミ等の金属で形成されており、耐食性の良い蓚酸アルマイト等の表面処理がなされている。このベース本体４３には、雌ねじ部４４が形成されており、前記シャーシ部材４１と前記ベース本体４３とは複数のビス４５にて接続固定されている。尚、前記ベース本体４３の外周部と前記コネクタケース４０内周部との間にはＯリング４６が設けられており、これらの間の水密が保たれている。
【００１７】
前記ベース本体４３には、前記したように前記スコープケーブル４を介して前記ビデオプロセッサ５に着脱自在に接続される電気接点コネクタ部１１が嵌合している。
この電気接点コネクタ部１１は、口金部材４７に設けられたフランジ部４８と前記ベース本体４３とが複数の導電性のビス４９にて固定され、前記シャーシ部材４１に固定されている。また、前記ビス４９を介して前記口金部材４７が前記ベース本体４３と導通するようになっている。尚、前記口金部材４７と前記ベース本体４３の内周との間には、Ｏリング１００が設けられていて、これらの間を水密にシールしている。
【００１８】
前記口金部材４７には、前記スコープケーブル４の電気コネクタ４ｅを導くガイド部材５１が内嵌しており、複数の導電性のビス５２にてこれらガイド部材５１及び口金部材４７は固定されている。また、これらガイド部材５１及び口金部材４７は、ビス５２を介して導通していると共に、当接部５３で互いに当接して接触導通している。尚、前記ガイド部材５１外周と前記口金部材４７内周との間には、Ｏリング５４が設けられており、これらの間を水密にシールしている。
【００１９】
前記ガイド部材５１には、インシュレータ部材５５が内嵌しており、これらは接着にて固定されている。このインシュレータ部材５５には、フランジ部５６が設けられており、このフランジ部５６に並列して前記ガイド部材５１内周との間にＯリング５７が設けられており、これらの間を水密にシールしている。
前記インシュレータ部材５５は、ポリフェニレンサルファイド等の絶縁性の樹脂からなる絶縁ベース部５８と複数の接点ピン５９からなる。また、前記絶縁ベース部５８に形成された複数の穴部６１には、複数の同軸接点ピン６２が嵌入されている。
また、前記インシュレータ部材５５は、前記接点ピン５９をインサート物としたインサートモールド成形により前記絶縁ベース部５８と前記接点ピン５９とが絶縁ベース部５８の成形時に一体に形成されている。
【００２０】
前記接点ピン５９は、先端形状、先端側長さ、基端側の長さ等の違いにより複数の種類があり、これらをインサート成形時、金型に各接点をセットする際に、ピンのセット位置を間違える虞れがある。この場合、不良品ができるだけでなく、成形工程でピンが金型と干渉して金型を破損するという不具合もある。これを防止するため、以下の構成となっている。
前記接点ピン５９は、この基端側部分の径及び長さの形状が異なる組み合わせで構成され、この形状に対応した図示しない金型の形状と略同一の形状のセット治具を用いて、成形前に接点ピン５９の基端側をセット治具にセットする。このセット治具の間違った位置には、接点ピン５９が組付けられないので、接点ピン５９を正しく配列できる。次に接点ピン５９の先端側を成形金型にセットし、セット治具を取り外した後に、この接点ピン５９の基端側の金型の型締めを行うことで、金型に対して正しい位置に接点ピン５９を配列できる。尚、接点ピン５９の基端側を先に金型にセットし後から先端側の金型を型締めする構成としても良い。この場合、セット治具が不要となる。
【００２１】
前記インシュレータ部材５５には、基板６３が当接していて、この基板６３の前記接点ピン５９と相対する位置に形成した接点ピン用スルーホール６４に前記接点ピン５９を挿通して、この接点ピン５９の全周を前記接点ピン用スルーホール６４の周囲のランドに半田にて固定している。これにより、前記基板６３は、前記インシュレータ部材５５に当接した状態で固定されている。尚、前記インシュレータ部材５５の前記基板６３との当接面には、Ｏリング溝６５が形成されており、Ｏリング溝６５にはＯリング６６が設けられている。尚、前記基板６３のＯリング６６に相対する部分は、図４に示すように基板６３のパターンや、レジスト等の設けられていないエポキシ樹脂の平滑な素材面からなるシール面部６７が形成されている。
【００２２】
前記インシュレータ部材５５に形成されている穴部６８には、通気口金６９が嵌入しており、これら穴部６８と通気口金６９との間は全周に接着剤が塗布されて、固定されている。また、前記基板６３の通気口金６９と相対する位置に形成した通気口金用スルーホール７１に前記通気口金６９を挿通して、この通気口金６９の全周を通気口金用スルーホール７１の周囲のランドに半田にて固定している。更に、前記基板６３の同軸接点ピン６２と相対する位置に形成した同軸接点用スルーホール７２に前記同軸接点ピン６２を挿通して、この同軸接点ピン６２の外周部の一部を同軸接点用スルーホール７２の周囲のランドにハンダにて固定している。ここで、同軸接点ピン６２を外周部の一部のみしかハンダを行わないのは、同軸接点ピン６２のリペアの際に同軸接点ピン６２の取り外し性を良くするためである。
【００２３】
この同軸接点ピン６２の外周部と前記同軸接点用スルーホール７２との隙間には、液状シリコン等のシール剤７３が充填されていて、電気接点コネクタ部１１に水や薬液がかかって、前記複数の穴部６１と前記同軸接点ピン６２の隙間から前記絶縁ベース部５８と前記基板６３との間の空間に水分が浸入した場合でも、前記Ｏリング６６と各接点ピン５９及び前記通気口金６９と基板６３との半田部と、前記同軸接点ピン６２の外周のシール剤７３により基板６３から内側へ水分が浸入することがなく、前記絶縁ベース部５８と前記基板６３との間の空間内の水分を乾燥させれば、修理することなく使用可能である。
【００２４】
前記通気口金６９には、通気性で防水性を有する例えばＰＴＦＥを多孔質化した通気シート部材７４を先端に接着固定したシート押さえ部材７５を設けている。
前記通気口金６９と前記シート押さえ部材７５との間には、Ｏリング７６が設けられており、これら通気口金６９及びシート押さえ部材７５との間を水密にシールしている。
【００２５】
前記シート押さえ部材７５には、ドライバを差し込むための溝部７７が形成されていると共に、雄ねじ部７８ａが形成され、前記通気口金６９に形成された雌ねじ部７８ｂに螺合している。これらシート押さえ部材７５の雄ねじ部７８ａと通気口金６９の雌ねじ部７８ｂとの間には、シリコン系の接着剤やシール剤等の容易に破壊可能な接着剤にて固定されており、前記シート押さえ部材７５及び通気シート部材７４は、外側から前記インシュレータ部材５５に着脱自在である。この通気シート部材７４が目詰まりした場合には、内視鏡を分解せずにインシュレータ部材５５の外側からドライバを用いて前記通気シート部材７４及び前記シート押さえ部材７５を容易に交換可能である。
【００２６】
前記接点ピン５９及び同軸接点ピン６２の基端側には、それぞれ前記ＳＩＤケーブル２３や同軸シールド線７９内の前記データ信号線３５や前記電源線２３ｂ等の各電線や他の電線が結線されている。
これらが結線されている部分の周囲には、導電性の筒状シールド部材８０が設けられている。この筒状シールド部材８０には、雄ねじ部８１ａが形成されており、前記ガイド部材５１に形成された雌ねじ部８１ｂと螺合して、前記筒状シールド部材８０の先端が前記基板６３に当接する位置まで締め込まれて固定されている。
【００２７】
前記基板６３の筒状シールド部材８０との当接面には、図５に示すように前記基板６３のグランドに導通したグランドパターン８２が形成されており、筒状シールド部材８０と基板６３のグランドとが導通して等電位となっている。
前記筒状シールド部材８０には、この筒状シールド部材８０の開口部を塞ぐように導電性の円盤状シールド部材８３が設けられており、前記筒状シールド部材８０に複数の導電性のビス８４にて固定されると共に、このビス８４を介して導通している。
【００２８】
以上により、電気接点コネクタ部１１の外装金属及びシールド部材はそれぞれが導通すると共に、これらはシャーシ部材４１に導通している。また、これらと基板６３のグランドが導通して等電位となっている。
【００２９】
本実施の形態では、電磁的にシールドされた空間として電磁的シールド空間を形成し、この電磁的シールド空間内に前記情報記憶部ユニット２４を収容すると共に、他の電磁的シールド空間内に前記ＳＩＤケーブル２３等のケーブル及び前記電気接点コネクタ部１１の何れか一方を収容するように構成する。
【００３０】
即ち、前記シャーシ部材４１の内径側には、前記溝部４２に配設されたＳＩＤケーブル２３等のケーブルが挿通される部分以外の開口を塞ぐための薄板を略円筒状にプレス成形された導電性のシールド部材８５がシャーシ部材４１の内周面に密着して設けられていて、これらシャーシ部材４１とシールド部材８５とは導通している。また、前記シャーシ部材４１には、薄板状の導電性のシールド部材８６がシャーシ部材４１のシールド部材受け面８７に密着して設けられており、これらシャーシ部材４１とシールド部材８６とは導通している。
これらシールド部材８５、８６により、シャーシ部材４１の底部とシールド部材８６に囲まれた電磁的にシールドされた空間として第一シールド空間部８８を形成すると共に、シャーシ部材４１及びシールド部材８５とシールド部材８６に囲まれた空間として第二シールド空間部８９を形成している。これによりスコープコネクタ部１０には、電磁的にシールドされた２つの空間である第一、第二シールド空間部８８、８９が形成されるようになる。
【００３１】
前記ユニバーサルケーブル９側から延出したＳＩＤケーブル２３等や光源装置３側から延出したケーブル３a等の各ケーブルは、前記シャーシ部材４１に形成された溝部４２を通り、シャーシ部材４１内部に配設され、固定板９１と固定ゴム部材９２によってシールド部材８６に形成された貫通穴９３（図６参照）に挿通されたビス９４により前記シャーシ部材４１に形成された雌ねじ部９５に締め込まれることで、挟み込まれて固定される。同時に、前記シールド部材８６がシャーシ部材４１のシールド部材受け面８７に密着して固定されている。尚、これらのケーブル固定手段がシールド部材８６の固定部材を兼ねているので、部品費が安価であり、これらが同時に組み立てられるので、組立費が削減できるため安価である。
【００３２】
各ケーブルは固定された後、円盤状シールド部材８３の開口部９６から筒状シールド部材８０の内部に挿通され、前記接点ピン５９及び同軸接点ピン６２に結線される。尚、これらのケーブルの内、前記ＳＩＤケーブル２３は非常に長いため、筒状シールド部材８０の外周部に巻かれて第二シールド空間部８９に収納された後に前記開口部９６から筒状シールド部材８０内に挿通されている。
【００３３】
尚、挿入部７、操作部８、ユニバーサルケーブル９、スコープコネクタ部１０等を形成する金属はそれぞれ、電気的に導通するように形成されて、等電位に形成されている。また、前記シャーシ部材４１は、図示しないビス等によりこれらと接続され、導通がとられていて電気的に等電位となっており、各シールド部材はスコープのその他の外装金属と等電位にしているので、ＥＭＣ性能が良い。
【００３４】
前記第二シールド空間部８８の内部には、略円盤形状の実装基盤である前記情報記憶部ユニット２４が配置されている。この情報記憶部ユニット２４の基板部９７には、三つのビス穴９８が形成されており、シャーシ部材４１に設けられた雌ねじ部９９にビス１０１によって固定されていて、情報記憶部ユニット２４にはその両面に前記ＣＰＵ３３、発振器３４、プログラム書込み用コネクタ３７等の素子が実装されている。
【００３５】
次に、図６ないし図８を用いて前記情報記憶部ユニット２４が収納配置される第一シールド空間部８８の詳細な構成を説明する。
前記シールド部材８６には、前記同軸シールド線７９を第一シールド空間部８８から第二シールド空間部８９に挿通するための切り欠き部１０２が形成されている。この切り欠き部１０２は、スコープコネクタ部１０内に配設された電気接点コネクタ部１１に接続される他のケーブル３aと、同軸シールド線７９とが同時に挿通可能な大きさに形成されている。このため、ケーブル３aと同軸シールド線７９の結線を外すことなく、これらを切り欠き部１０２に挿通させながら、シールド部材８６をシャーシ部材４１から取り外すことができ、情報記憶部ユニット２４の取り外し、取付けが容易にできる。尚、この際シールド部材８６によってケーブル３aや同軸シールド線７９に傷を付けることがない。このことにより、情報記憶部ユニット２４の修理性が良い。
【００３６】
また、図７に示すように前記情報記憶部ユニット２４の基板部９７のシールド部材８６側の面には、前記発信器３４やプログラム書き込み用コネクタ３７等の高さの高い部品が前記固定ゴム部材９２及びビス９４の位置を避けて、図３で説明した円盤状シールド部材８３とシールド部材８６との間の空間が略均一になるように設けられている。
【００３７】
図６に示すように前記シールド部材８６は、前記情報記憶部ユニット２４の上に実装された各電気素子の高さ及び大きさに合わせた形状に凹凸が設けられており、第二シールド空間部８９の空間が無駄にならぬように形成されている。このことにより、この空間に収納されるＳＩＤケーブル２３やケーブル３a等のケーブルが各部品の隙間に挟まれることがなく、この空間の高さすなわちスコープコネクタ部１０をコンパクトに形成できる。一方、図３に示すように基板部９７のシャーシ部材４１底側の面には、比較的高さの低く略同一の高さの部品が集められて実装されており、他の高さの部品は反対側の面に実装されている。このことにより、シャーシ部材４１の底側の面側の空間に無駄がなく、第一シールド空間部８８すなわちスコープコネクタ部１０をコンパクトに形成できるようになっている。
【００３８】
図７及び図８に示すように前記シャーシ部材４１には、前記シールド部材８６の切り欠き部１０２に沿って壁部１０３が設けられており、シャーシ部材４１とシールド部材８６によって同軸シールド線７９を第一シールド空間部８８から第二シールド空間部８９に挿通するために必要十分で小さい挿通穴１０４のみが形成される構成となっている。このようにして、第一シールド空間部８８と第二シールド空間部８９との相互のノイズの通過がないように、極力第一シールド空間部８８と第二シールド空間部８９との間には連通した空間がないように形成されている。
【００３９】
前記情報記憶部ユニット２４には、前記データ信号線３５と電源線２３ｂ及びグランド線２３ｃが接続されていて、これらは１つに束ねられて外部に電気的シールド部７９ａを有する同軸シールド線７９から形成されている。このため、これら電源線２３ｂ、グランド線２３ｃ、データ信号線３５から外部に放射するノイズを前記シールド部７９aによりカットし、ＳＩＤケーブル２３へのノイズの影響や、外部へのノイズの影響をなくしている。また、データ信号線３５に対して外部やＳＩＤケーブル２３等の他のケーブルからのノイズの影響をなくしている。
【００４０】
前記同軸シールド線７９は、前記光源側から延出した各ケーブル３ａと同様に、筒状シールド部材８０内に導入されて接点ピン５９に結線されている。この同軸シールド線７９は、第一シールド空間部８８内で前記情報記憶部ユニット２４上に配設されており、情報記憶部ユニット２４上に実装された最もノイズを発生しやすいＣＰＵ３３を駆動する発振器３４の近傍を通らないように配設されており、極力発振器３４のノイズが同軸シールド線７９に影響を与えることを防止している。
【００４１】
図３に示すように前記シールド部７９aは電気接点コネクタ部１１側において、前記ＳＩＤケーブル２３に設けられたＳＩＤケーブル２３内の複数の電線を覆う外部シールドと共にグランド端子１０５に結線されている。前記グランド端子１０５は、円盤状シールド部材８３にビス１０６により固定されて、円盤状シールド部材８３と導通しており、ＳＩＤケーブル２３の外部シールドと同軸シールド線７９のシールドと、電気接点コネクタ部１１全体が等電位になっている。
【００４２】
尚、前記電源線２３ｂは、前記ＳＩＤケーブル２３内部のビデオ電源線２３aが接続された図示しない電源ピンに接続され、グランド線２３ｃは、前記ＳＩＤケーブル２３内部の図示しないビデオグランド線が接続されたグランドピンに接続されている。また、前記データ信号線３５は、前記インシュレータ部材５５に設けられた図示しないデータ通信接点ピンに接続されて、前記スコープケーブル４を介してビデオプロセッサ５のデータ制御部２６と接続されている。
【００４３】
以上のように情報記憶部ユニット２４への電源供給回路は、前記ＳＩＤ２２への電源回路と兼ねられており、電源回路が単一であるので構造が簡略化でき、安価であるとともに回路から発生される不要なノイズを低減できる。
【００４４】
また、前記情報記憶部ユニット２４に設けられたプログラム書込み用コネクタ３７には、図９に示すようにプログラム書込みの際に基板部９７に電源を供給する電源端子やプログラムを書き込むための書込み端子等の複数の端子１１１が設けられていると共に、この端子１１１を塞ぐ形で非導電性の樹脂からなるコネクタカバー１１２が外嵌している。
【００４５】
また、前記基板部９７の両面の表面には、各電気素子のショートの恐れがある接点を隠すように液状シリコン等のシール剤１１３が塗布されている。また、前記コネクタカバー１１２とプログラム書込み用コネクタ３７の境界部にも同様にシール剤１１３が塗布されており、各接点や端子に外部からの水分が付着しないようになっている。このため、結露や内視鏡の水漏れによって水が浸入した場合でもショートがなく、これらが錆びて劣化することを防止している。そして、ＣＰＵ３３のプログラムを変更する場合には、前記コネクタカバー１１２とプログラム書込み用コネクタ３７の境界部のシール剤のみを除去して、コネクタカバー１１２を取り外しプログラム書込み用コネクタ３７からプログラムを書き込んだ後、再度コネクタカバー１１２をプログラム書込み用コネクタ３７に嵌めて境界部のみにシール剤を補修塗りすればよい。コネクタカバー１１２を着脱自在に設けたことにより、プログラム書き換えの際に作業が容易である。
【００４６】
このように情報記憶部ユニット２４を外部装置との接続部であるスコープコネクタ部１０に設けているため、情報記憶部ユニット２４と電気接点コネクタ部１１との間に配設されるノイズの発生源やノイズのアンテナとなる可能性がある電源線２３ｂ、グランド線２３ｃ、データ信号線３５を短くすることができる。これにより、これら電源線２３ｂ、グランド線２３ｃ、データ信号線３５等から放射されるノイズを軽減できると共に、外部から受けるノイズの影響を軽減できる。また、コネクタ部以外の部分が大型化したり重くなったりしないので操作性が良好である。
【００４７】
上述したように外部に対して及び相互に電磁的にシールドされた空間として第一シールド空間部８８と第二シールド空間部８９とを設け、前記第一シールド空間部８８内に情報記憶部ユニット２４を配置すると共に、前記第二シールド空間部８９内に電気接点コネクタ部１１及びＳＩＤケーブル２３を配置し、ノイズの発生源及びノイズのアンテナとなるこれらを分離して設けたことで、これらのシールドにより相互にノイズの影響がなくなると共に、発生したノイズを増幅することなく、更に、スコープ外部に対するノイズの発生や外部からのノイズの影響がない。
【００４８】
この結果、ＳＩＤケーブル２３にて伝送される撮像信号に劣化がないので画像の劣化がなく、情報記憶部ユニット２４の動作不良や情報記憶部ユニット２４の記憶データの劣化がなく、内視鏡外部の機器に対して不具合を与えない、ＥＭＣ性能の良い内視鏡を提供できる。
【００４９】
尚、本実施の形態では、挿入部先端側に内蔵したＳＩＤ２２により被写体像を撮像し、ビデオプロセッサ５で信号処理する電子内視鏡２に本発明を適用したが、本発明はこれに限定されず、挿入部７に挿通したイメージガイドに被写体像を取り込み、操作部８に内蔵したＳＩＤ２２により被写体像を撮像する電子内視鏡に本発明を適用しても構わない。
【００５０】
また、本実施の形態では、情報記憶部ユニット２４を有する電子内視鏡２に本発明を適用したが、第二シールド空間８９に収納される電気回路ユニットはこれに限らず、他の用途の基板でも、電気部品でも良く、電気的な回路を有する電気回路ユニットならば良い。更に、シールドされた空間を構成する部材は金属に限らず、樹脂にアルミ等の金属をコーティングした部材や導電性樹脂等により構成しても良い。
【００５１】
［付記］
（付記項１）  内視鏡像を撮像する撮像素子と、この撮像素子に接続した撮像信号線と、少なくとも一つの電気回路ユニットと、この電気回路ユニット及び前記撮像素子に対して信号の授受を行う外部装置に接続可能な電気接点ユニットとを備えた電子内視鏡において、
複数の電磁的シールド空間を形成し、この内の１つの電磁的シールド空間内に前記電気回路ユニットを収容すると共に、他の電磁的シールド空間内に前記撮像信号線及び前記電気接点ユニットの何れか一方を収容したことを特徴とする電子内視鏡。
【００５２】
（付記項２）  前記電気回路ユニットは、情報を記憶するための少なくとも一つの情報記憶部ユニットであることを特徴とする付記項１に記載の電子内視鏡。
【００５３】
（付記項３）  前記複数の電磁的シールド空間を前記外部装置とのコネクタ部に設け、前記電気回路ユニットを前記電気接点ユニットの近傍に設けたことを特徴とする付記項１または２に記載の電子内視鏡。
【００５４】
（付記項４）  前記電磁的シールド空間は、前記電気接点ユニットを保持するシャーシ部材とこのシャーシ部材の内部空間を分割するシールド部材とから形成していることを特徴とする付記項１〜３に記載の電子内視鏡。
【００５５】
（付記項５）  前記電磁的シールド空間内に前記撮像信号線及び前記電気接点ユニットを収容したことを特徴とする付記項１〜３に記載の電子内視鏡。
【００５６】
（付記項６）  前記内視鏡の外装金属部材を互いに電気的に導通して設け、この外装金属部材と前記電磁的シールド空間を形成するシールド体を電気的に導通して設けたことを特徴とする付記項１〜３に記載の電子内視鏡。
【００５７】
［付記の目的］
（付記項１）
画像劣化及び電気回路ユニットの誤動作がなく、外部に対して放射ノイズが少ないＥＭＣ性能の良い電子内視鏡を提供することを目的とする。
【００５８】
（付記項２）
画像劣化と、情報記憶部の誤動作及び情報記憶部の記憶データの劣化がなく、外部に対して放射ノイズが少ないＥＭＣ性能の良い電子内視鏡を提供することを目的とする。
【００５９】
（付記項３〜６）
上記付記項１の目的に加え、コンパクトな電子内視鏡を提供することを目的とする。
【００６０】
［付記の作用］
（付記項１）
電気回路ユニットと撮像信号線または電気接点ユニットとの間に相互のノイズの影響がない。また、電気回路ユニットと撮像信号線または電気接点ユニットに内視鏡外部からのノイズの影響がない。更に、電気回路ユニットと撮像信号線または電気接点ユニットから内視鏡外部へのノイズの影響がない。
【００６１】
（付記項２）
情報記憶部ユニットと撮像信号線または電気接点ユニットとの間に相互のノイズの影響がない。また、情報記憶部ユニットと撮像信号線または電気接点ユニットに内視鏡外部からのノイズの影響がない。更に、情報記憶部ユニットと撮像信号線または電気接点ユニットから内視鏡外部へのノイズの影響がない。
【００６２】
（付記項３、４）
上記付記項１の作用に加え、電気回路ユニットと電気接点ユニットの間を接続するノイズの発生源となる信号線を短くして電子内視鏡がコンパクトになる。
【００６３】
（付記項５）
上記付記項１の作用に加え、電磁的シールド空間の数を少なくして電子内視鏡がコンパクトになる。
【００６４】
（付記項６）
上記付記項１の作用に加え、電子内視鏡全体のシールド体が導通して同電位となりインピーダンスが低くなり、ノイズの影響を受け難くなる。
【００６５】
【発明の効果】
以上説明したように本発明によれば、撮像信号ケーブル（撮像信号線）にて伝送される撮像信号に劣化がないので画像の劣化がなく、また、情報記憶部ユニット（電気回路ユニット）の動作不良や記憶データの劣化がなく、内視鏡外部の機器に対して不具合を与えない、ＥＭＣ性能の良い電子内視鏡を実現できる。
【図面の簡単な説明】
【図１】本発明の第１の実施の形態を備えた電子内視鏡装置の構成を示す構成図
【図２】図１の電子内視鏡装置の電気系の構成を示す構成図
【図３】図１の電気接点コネクタ部の構成を示す断面図
【図４】図３の基板を矢印Ａから見たＡ矢視図
【図５】図３の基板を矢印Ｂから見たＢ矢視図
【図６】図３のシールド部材を示す説明図
【図７】図３のＣ−Ｃ断面図
【図８】図３のＤ−Ｄ断面図
【図９】図７のプログラム書き込み用コネクタを示す断面図
【図１０】図９の横断面図
【符号の説明】
１        …電子内視鏡装置
２        …電子内視鏡
３        …光源装置
４        …スコープケーブル
４ｅ，４ｆ…電気コネクタ
５        …ビデオプロセッサ
９        …ユニバーサルケーブル
１０      …スコープコネクタ部
１１      …電気接点コネクタ部（電気接点ユニット）
２２      …ＳＩＤ（固体撮像素子）
２３      …ＳＩＤケーブル（撮像信号線）
２３ｂ    …ビデオ電源線
２３ｃ    …電源線
２４      …情報記憶部ユニット（電気回路ユニット）
３５      …データ信号線
４０      …コネクタケース
４１      …シャーシ部材
４３      …ベース本体
４７      …口金部材
５１      …ガイド部材
５５      …インシュレータ部材
５６      …フランジ部
５８      …絶縁ベース部
５９      …接点ピン
６２      …同軸接点ピン
６３      …基板
８０      …筒状シールド部材
８３      …円盤状シールド部材
８５，８６…シールド部材
９１      …基板部
【図１】
0003684122.tif 000002
【図２】
0003684122.tif 000003
【図３】
0003684122.tif 000004
【図４】
0003684122.tif 000005
【図５】
0003684122.tif 000006
【図６】
0003684122.tif 000007
【図７】
0003684122.tif 000008
【図８】
0003684122.tif 000009
【図９】
0003684122.tif 000010
【図１０】
0003684122.tif 000011